(57)【特許請求の範囲】
【請求項１】
立柱（１０，１１）によって形成されたロールスタンドの制御ユニット又は稼動部用の潤滑剤又は冷却剤及び液圧式の加圧媒体のような液状稼動媒体用の分岐管網の供給管、排出管及び分岐管の設備において、
前記ロールスタンドの全ての消費部が、前記稼動媒体用の高圧分岐管網に連結されていることと、
前記分岐管網の複数の供給管及び／又は排出管が、配管群（１２，１３，１４）を構成しつつ前記ロールスタンドに取付け可能なモジュール（１〜３．４）に統合されていて、  前記稼動媒体を供給して排出する多数の個々の配管は、直接ロールスタンドの個々の機能要素に向かう代わりに、このロールスタンドに対して配置された中央の分岐部（６，７）を起点とし、これらの分岐部（６，７）が、前記モジュール（３．２，３．３，３．４）に連結されており、そのため、モジュール（３．２，３．３，３．４）に対する稼動媒体の供給と排出が、これらの分岐部（６，７）を経由して行われることと、
前記稼動媒体をロールスタンドの分岐管網に供給するため、複数の連結部（９）を有する媒体を通す１本の支柱（８）が、このロールスタンドのすぐ横に設けられていることと、
を特徴とする設備。
【請求項２】
前記分岐管が、以下のモジュールの複数の配管群：
前記ロールスタンドの媒体プラットフォーム内又はその上で前記配管群に連結している１つの中央制御ステーション（５）（モジュール１）、
ロールスタンド上側の１本の配管並び（モジュール２）、
作業側の媒体流入用の、ロールスタンド側壁面又はロールスタンドの複数の支柱上の複数の配管並び（モジュール３．１）、
作業側の媒体排出用の、ロールスタンド側壁面又はロールスタンドの複数の支柱上の複数の配管並び（モジュール３．２）、
稼動側の媒体合流用の複数の配管（モジュール３．４）、
稼動側の媒体排出用の複数の配管（モジュール３．３）、
を有することを特徴とする請求項１に記載の設備。
【請求項３】
複数の配管群又は複数の配管部分（１２〜１４）は、作業場に合わせて量産可能な個々のモジュール（１〜３．４）の複数の構造群として形成されていることを特徴とする請求項１又は２に記載の設備。
【請求項４】
前記分岐管網は、直線状の配管部分（１２〜１４）が可能な限りまっすぐに敷設されることに起因して比較的僅かな数量の型材又はベンド材から構成されることを特徴とする請求項１〜３のいずれか１項に記載の設備。
【請求項５】
前記稼動媒体を供給して排出する多数の個々の配管が、前記ロールスタンドの個々の機能要素に向かう代わりに、これらの配管は、ここではこのロールスタンドに対して配置された中央の分岐部（６，７）を起点とし、これらの分岐部（６，７）は、その側面で供給して排出すべき前記稼動媒体用の複数の共同管又はモジュール（３．２，３．３，３．４）に連結されていることを特徴とする請求項１〜４のいずれか１項に記載の設備。
【請求項６】
前記分岐部（６，７）は、複数の取付け板（４）の形態で形成され、前記モジュール  （３．２，３．３，３．４）用の複数の配管群を連結するためにロールスタンドの上部ハウジング内に設置されていることを特徴とする請求項１〜５のいずれか１項に記載の設備。
【請求項７】
前記配管は、ワークロールロック部材やバックアップロールロック部材やスピンドル保持部材のような機械要素に関係なく敷設されていることを特徴とする請求項１〜６のいずれか１項に記載の設備。
【請求項８】
前記モジュール（２）をライン幅だけに合わせることで済むように、前記立柱（１０，１１）上に配置するための前記モジュール（１）に対する複数の支持点が構成されていることを特徴とする請求項１〜７のいずれか１項に記載の設備。
【請求項９】
複数の可撓性ホースが、前記モジュール（１〜３．４）を互いに連結するために使用されていることを特徴とする請求項１〜８のいずれか１項に記載の設備。
【請求項１０】
前記ロールスタンドの機能の制御と監視のため、１つの中央制御ステーション（５）が、前記モジュールに対して存在することを特徴とする請求項１〜９のいずれか１項に記載の設備。
【発明の詳細な説明】
【０００１】
本発明は、アプライトによって形成されたロールスタンドの制御ユニット又は稼動部用の潤滑剤又は冷却剤及び液圧式の加圧媒体のような特に液状稼動媒体用の分岐管網の供給管，排出管及び分岐管の設備に関する。
【０００２】
ロールスタンドの配管の敷設の従来の技術では、通常、油圧消費部の供給が、２つの媒体ステーションを通じて実施される。この目的のために、複数の弁アプライト（Ｖｅｎｔｉｌｓｔａｅｎｄｅ）が、
−  台座（ルーパ）上に、
−  特にサーボ液圧機構用のプラットフォーム上に、
−  特に補助液圧機構用の地下部内に、
−  ロールスタンドに対して、特に多数の地点に分散して配置された。
【０００３】
そのため、多数の配管がその地下部から機械にかけて敷設された。その結果、約２５０個のインターフェースが、台座／機械を必要とした；
さらに、配管の一部をアプライトに固定して敷設し、またその一部を配管部分に固定して敷設する必要があった。このことは、稼動時の振動に起因したり、その他の外乱の下で配管部分又はその連結要素の漏洩をもたらした；
設備に固有の配管が個々の稼動箇所に対して敷設されるために、配管がいつも新規に配置された。
【０００４】
ドイツ連邦共和国実用新案第９４  ０８  ４４０．８号明細書は、密閉型の又は開放型の支持フレームから形成された機械ハウジング内の特に液状稼動媒体用の供給管，排出管及び分岐管の構造を開示する。これらの配管は、機械ハウジングの支持フレーム内に沿って埋設された複数の縦孔（立て坑）から形成される。
【０００５】
本発明の課題は、上述した従来の技術から出発して、請求項１の上位概念に記載の種類の液状稼動媒体用の供給管，排出管及び分岐管の設備を改良するか又は新たに配列して、建設用地の配管の敷設の経費等を全体的に著しく低減すること、配管に対する接近性（アクセス性）を改善すること、アフターサービスの容易性と稼動時の監視を、複数の制御部を中央部分に配置することによって容易にすること、及び、液圧式の配管等を地下部内に敷設することを廃止することにある。
【０００６】
この課題は、本発明による請求項１の上位概念中に記載の種類のロールスタンドの、特に液状稼動媒体用の分岐管網の配管の設備にあっては、前記ロールスタンドの全ての消費部が、前記稼動媒体用の高圧分岐管網に連結されていること、及び、前記分岐管網の複数の供給管及び／又は排出管が、配管群１２，１３，１４を構成しつつ前記ロールスタンドに取付け可能なモジュール１〜３．４に統合されていて、前記稼動媒体を供給して排出する多数の個々の配管が、前記ロールスタンドの個々の機能要素に向かう代わりに、これらの配管は、ここではこのロールスタンドに対して配置された中央の分岐部６，７を起点とし、これらの分岐部６，７は、前記モジュール３．２，３．３，３．４に連結されていることによって解決される。
【０００７】
ロールスタンドの液圧式の供給網の本発明の設備によれば、有益的に、建設用地の配管敷設経費が全体的に低減し、配管に対する接近性が著しく改善され、アフターサービスの容易性と稼動時の監視が制御部を中央部分に配置することによって容易になり、そして液圧式の配管を地下部内に敷設する可能性が完全になくなる。
【０００８】
本発明の或る構成では、分岐管網が以下のモジュールの複数の配管群を有する：
−  ロールスタンドの媒体プラットフォーム内又はその上でこれらの配管群に連結している１つの中央制御ステーション（５），
−  ロールスタンド上側の１本の配管並び，
−  作業側の媒体流入用の、ロールスタンド側壁面又はロールスタンドの複数の支柱上の複数の配管並び，
−  作業側の媒体排出用の、ロールスタンド側壁面又はロールスタンドの複数の支柱上の複数の配管並び，
−  稼動側の媒体合流用の複数の配管，
−  稼動側の媒体排出用の複数の配管。
【０００９】
ロールスタンドの配管供給網の製造又は取付けから見たこれらの効果は、絶大であり、特に以下の有利な効果を奏する：
−  型材と管継手の低減；
−  同じ曲率半径のベンドの低減；
−  高精度に作られた配管支持部材の製造の廃止；
−  全ての溶接作業の省力化；
−  モジュールが、作業場内のロールスタンドに関係なく複数の配管部分を量産する有益な可能性をもたらす；
−  配管断面の標準化が可能である。
【００１０】
この設備の有益な構成は、複数の配管群又は複数の配管部分が、作業場に合わせて量産可能な個々のモジュールの複数の構造群として形成されているという手段から得られる。
【００１１】
これによって、この領域内の合せ作業が省略され、取付け時間が選別作業及び設置の省略によって３分の１程度短縮し、そしてその他の肯定的な副次効果が地下部内の液圧式の配管の敷設の廃止によって奏される。その結果、これらのことから、建設現場の配管敷設経費が低減し、かつ、整備の容易性とアフターサービスの容易性が著しく改善する。
【００１２】
その他の有利な効果は、従属請求項の特徴部分に記載されている。
【００１３】
以下に、本発明の詳細、特徴及び有利な効果を図中に概略的に示された実施の形態に基づいて説明する。
【００１４】
図中に示された実施の形態では、ロールスタンドの全ての消費部に対して予備圧力を例えば２９０ｂａｒに規格化することによって、開放型か又は密閉型のアプライト１０，１１で形成されたこのロールスタンドの制御ユニット又は稼動部用の潤滑剤又は冷却剤及び液圧式の加圧媒体のような液状稼動媒体用の配管網，分岐管網及び供給網の簡素化が実現される。このロールスタンドは、ロールチョック２０，２２内で軸支されている複数のワークロールと、ロールチョック２１，２３内で軸支されている複数のバックアップロールとを有する４重式のロールスタンドである。
【００１５】
この分岐管網のこれらの供給管及び／又は排出管は、配管群例えば１２，１３，１４を構成しつつモジュール１〜３．４に統合されている。稼動媒体をロールスタンドの分岐管網に供給するため、複数の連結部９を有する媒体を通す１本の支柱８が、このロールスタンドのすぐ横に有益的に設けられている。このモジュール１に割当てられている制御ステーション５が、このロールスタンドの前方部分のプラットフォーム内に設けられている。
【００１６】
この分岐管網は、以下の複数のモジュールの複数の配管群から構成される：
−  ロールスタンドの全ての消費部が、好ましくは２９０ｂａｒの予備圧力の稼動媒体用の高圧分岐管網に連結されている；
−  この分岐管網の複数の供給管及び／又は排出管が、配管群（１２，１３，１４）を構成しつつモジュール（１〜３．４）に統合されている；
−  稼動媒体をロールスタンドの分岐管網に供給するため、複数の連結部（９）を有する媒体を通す１本の支柱（８）が、このロールスタンドのすぐ横に設けられている、そして、
−  ロールスタンドの機能の制御と監視のため、１つの中央制御ステーション（５）が存在する。
【００１７】
有利な効果は、複数の配管群又は複数の配管部分１２〜１４が、作業場に合わせて量産可能な個々のモジュール１〜３．４の複数の構造群として形成されている。
【００１８】
以上により、このことから、ロールスタンドの製造と取付けに関する重要な有利な効果が、例えば、モジュールと連結箇所との間の、例えば取付け板６と７との間の合せ作業を省略することによって得られる。その他の有利な効果は、明細書中で既に説明した。
【００１９】
図がさらに示すように、個々のモジュールの配管を束に統合すると、直線状の配管部分１２〜１４が可能な限りまっすぐに敷設されることに起因して、分岐管網が比較的僅かな数量の型材又はベンド材から構成されることによって、有利な効果が得られる。稼動媒体を供給して排出する多数の個々の配管が、ロールスタンドの個々の機能要素に向かう代わりに、これらの配管は、ここではこのロールスタンドに対して配置された中央の分岐部６，７を起点としている。これらの分岐部６，７は、その側面で供給して排出すべき稼動媒体用の複数の共同管又はモジュール３．２，３．３，３．４に連結されている。
【００２０】
さらに、この図は、取付け板４の形態をした分岐部６，７の好適な配置を示す。これらの分岐部６，７は、複数の配管群、例えばモジュール３．２，３．３，３．４用の配管部分１２，１３を良好に連結するために上部ハウジング内の流入側と排出側に存在する。複数の制御部が、この上部ハウジングの４本の支柱内に格納されている。
【００２１】
これらの配管は、ワークロールロック部材やバックアップロールロック部材やスピンドル保持部材のような機械要素に関係なく敷設されている。
【００２２】
モジュール２をライン幅だけに合わせることで済むように、アプライト１０，１１上に配置するためのモジュール１に対する複数の支持点が構成されている。その結果、取付け作業，整備作業若しくは点検作業又は制御ステーションでの監視が、軽減された作業環境の下で作業中にライン領域の外側で実施され得る。
【００２３】
複数の可撓性ホースが、モジュール１〜３．４を互いに連結するために使用される。これらのモジュール１〜３．４の取付けが、これらのモジュール１〜３．４間の可撓な連結によって隙間なしに可能である。しかも、稼動によるゆれや振動の伝達が完全になくなり、かつ、合せ作業がこの領域内で省略される。
【００２４】
以上により、本発明を一貫して実施し使用すれば、建設現場の配管敷設経費が著しく節減し、かつ、アフターサービスの容易性及び取付け作業や監視作業時の作業環境の人体適合性が改善される。
【図面の簡単な説明】
【図１】  本発明の液状稼動媒体用の分岐管網を敷設したロールスタンドを、一部が前方で一部が側方から成る遠近図で示す。
【符号の説明】
１  モジュール
２  モジュール
３．１  モジュール
３．２  モジュール
３．３  モジュール
３．４  モジュール
４  取付け板
５  中央制御ステーション
６  分岐部
７  分岐部
８  支柱
９  連結部
１０  アプライト（垂直材）
１１  アプライト（垂直材）
１２  配管部分
１３  配管部分
１４  配管部分
２０  ロールチョック
２１  ロールチョック
２２  ロールチョック
２３  ロールチョック
【図１】
0004671505.tif 000002